(57)【特許請求の範囲】
【請求項１】
回転軸（Ａｘ）を中心に回転可能であり、複数のディスク状フィルタ部材（１２）を有する回転子（１１）を備え、各ディスク状フィルタ部材（１２）は２つの壁（３４ａ，３４ｂ）を有するフレームを有しており、
前記フレームは、ステンレススチール製の金属薄板要素で作られており、
前記金属薄板要素は第１の金属薄板要素を含み、前記第１の金属薄板要素は前記各壁（３４ａ、３４ｂ）の内周を形成する輪状取付板（３７ａ，３７ｂ）であり、前記輪状取付板（３７ａ，３７ｂ）は前記回転軸（Ａｘ）に関して径方向に延びる中心部を有しており、
前記金属薄板要素は、前記輪状取付板（３７ａ，３７ｂ）に取り付けられて外向き方向に延びるスパイク（３８ａ，３８ｂ）を形成する第２の金属薄板要素を更に含み、
前記金属薄板要素は、前記スパイク（３８ａ，３８ｂ）の外側端を接続する外周方向フレーム要素（３９）を形成する第３の金属薄板要素を更に含み、
前記ディスク状フィルタ部材（１２）は、さらに円柱状ロッドから作られた補強材（４０）を含み、前記補強材（４０）は互いに面する前記輪状取付板（３７ａ、３７ｂ）の間を延びており、
前記輪状取付板（３７ａ，３７ｂ）は、さらに中心部（３７１ａ，３７１ｂ）の外周まわりに延びる接続部（３７２ａ、３７２ｂ）を含み、
前記外周方向フレーム要素（３９）は、周方向フレーム部材（３９）を含み、
接続板（３９１）は、前記周方向フレーム部材（３９）を結合し、
前記スパイク（３８ａ，３８ｂ）は、外側スパイク接続部（３７２ａ，３７２ｂ）から外側方向に前記接続板（３９１）の方に延びており、
前記第1、第２及び第３の金属薄板要素は、リベットで互いに結合されている、回転ディスクフィルタ装置（１）。
【請求項２】
請求項１に記載の回転ディスクフィルタ装置（１）において、
前記フレームは、前記回転軸（Ａｘ）から外向きに延びる２つの壁（３４ａ，３４ｂ）を有しており、前記壁（３４ａ，３４ｂ）の少なくとも１つが錐台の形状を有する、回転ディスクフィルタ装置（１）。
【請求項３】
請求項２に記載の回転ディスクフィルタ装置（１）において、
前記錐台は円錐または角錐である、回転ディスクフィルタ装置（１）。
【請求項４】
請求項３に記載の回転ディスクフィルタ装置（１）において、
前記角錐はｎ個の面を有し、ｎは６〜１２の値である、回転ディスクフィルタ装置（１）。
【請求項５】
請求項３に記載の回転ディスクフィルタ装置（１）において、
前記壁（３４ａ，３４ｂ）は双錐台の形状を有する、回転ディスクフィルタ装置（１）。
【請求項６】
請求項２に記載の回転ディスクフィルタ装置（１）において、
前記壁（３４ａ，３４ｂ）は前記ディスク状フィルタ部材（１２）の外周において当接する、回転ディスクフィルタ装置（１）。
【請求項７】
請求項１に記載の回転ディスクフィルタ装置（１）において、
前記輪状取付板（３７ａ，３７ｂ）の内周が円形であり、前記輪状取付板の外周が多角形である、回転ディスクフィルタ装置（１）。
【請求項８】
請求項１に記載の回転ディスクフィルタ装置（１）において、
前記外周方向フレーム要素（３９）は互いに接続されて前記フレームの多角形外周を形成する、回転ディスクフィルタ装置（１）。
【請求項９】
請求項１に記載の回転ディスクフィルタ装置（１）において、
前記ディスク状フィルタ部材（１２）の前記輪状取付板（３７ａ，３７ｂ）の少なくとも１つが、隣接するディスク状フィルタ部材（１２）の更なる輪状取付板（３７ａ，３７ｂ）に接続されている、回転ディスクフィルタ装置（１）。
【請求項１０】
請求項３に記載の回転ディスクフィルタ装置（１）において、
径方向において、２つのディスク状フィルタ部材（１２）の隣接する壁（３４ａ，３４ｂ）の間にクリアランスが形成されており、前記クリアランスは前記回転軸（Ａｘ）からの径方向距離が増大するにつれて増大する、回転ディスクフィルタ装置（１）。
【請求項１１】
請求項１に記載の回転ディスクフィルタ装置（１）において、
前記回転子（１１）の軸方向一端において配置された前記輪状取付板（３７ａ，３７ｂ）のうちの少なくとも１つが、前記回転軸（Ａｘ）に関して同軸に配置されたパイプ部
（３１）に接続されている、回転ディスクフィルタ装置（１）。
【請求項１２】
請求項１に記載の回転ディスクフィルタ装置（１）において、
２つのスパイク（３８ａ，３８ｂ）と、前記輪状取付板（３７ａ，３７ｂ）と、前記外周方向フレーム部材とにより画定される前記フレームの開口（２３ｂ）が、フィルタ要素によってカバーされている、回転ディスクフィルタ装置（１）。
【請求項１３】
請求項１２に記載の回転ディスクフィルタ装置（１）において、
前記フィルタ要素は、前記開口（２３ｂ）に対応する内周を有するフィルタフレームを備え、前記フィルタフレームは濾布（１３）を保持する、回転ディスクフィルタ装置
（１）。
【請求項１４】
請求項１３に記載の回転ディスクフィルタ装置（１）において、
前記フィルタフレームは更なる金属薄板要素からできている、回転ディスクフィルタ装置（１）。
【請求項１５】
請求項１４に記載の回転ディスクフィルタ装置（１）において、
前記更なる金属薄板要素は溶接、リベット、または、ねじにより接続されている、回転ディスクフィルタ装置（１）。
【発明の詳細な説明】
【技術分野】
【０００１】
本発明は、回転軸を中心に回転可能な回転子を備える回転ディスクフィルタ装置に関する。この回転子は複数のディスク状フィルタ部材を含み、各ディスク状フィルタ部材は回転軸から外向きに延びる２つの壁を有する。
【背景技術】
【０００２】
例えば回転ディスクフィルタ装置などの濾過装置は、特に液体から粒子を濾過するために使用される。
【０００３】
例えば特許文献１に一般的な回転ディスクフィルタが開示されており、その原理が図１
（Prior Art:先行技術）に図示されている。回転ディスクフィルタ１は、ゆっくり回転する水平方向のドラム１１を有する回転子を備え、このドラム１１が、多数の平行なディスク状フィルタ部材１２を支持している。これらのディスク状フィルタ部材１２は、ドラム１１の中心軸に沿って、離間した状態で次々に配置されており、ドラムから径方向に延びている（図１に部分的にのみ示す）。これらのディスク状フィルタ部材１２は、平行に配置された対向する側面上に、濾布１３でカバーされた開口を有する。各回転ディスクフィルタ部材１２は中央開口を有しており、その中央開口を通って、濾過対象の液体Ａがディスク状フィルタ部材１２の内部へと流れることができる。液体Ａは、入口からドラム１１へと導かれ、ディスク状フィルタ要素１２の内部へ入り、そこから液体Ａは流れ続けて濾布１３を通りぬけ、それによって、濾過による除去対象の粒子が濾布１３の内側に付着する。
【０００４】
特許文献２は、ドラムの周りに固定された複数のディスク状フィルタ部材を含む回転ディスクフィルタを開示している。各ディスク状フィルタ部材は、平行に配置された対向する側面を有する。ディスク状フィルタ部材は、ドラムに固定された複数のモジュールフレーム部材からできている。モジュールフレーム部材はプラスチック製であってもよい。
【０００５】
特許文献３は、ディスク状フィルタ部材の開口をカバーするためのフィルタ要素を開示している。フィルタ要素は、一片の鋳造軽金属で造られた濾布フレームと、濾布フレームに接着された濾布とからできている。濾布フレームはダイカストアルミニウム合金でできていてもよい。
【０００６】
従来技術による回転ディスクフィルタ装置の回転子の構造は複雑であり、モジュールのような特定の部品の製造費が高くつく。更に、従来技術による回転子は比較的重い。そのような回転子を支持するためには、安定性の高い支持構造を設ける必要がある。そのような支持構造を製造するのは高くつく。更に、従来技術による回転子ディスクフィルタ装置は嵩高く設計されている。
【０００７】
回転ディスクフィルタ装置の製造コストを下げることが望ましい。更に、回転ディスクフィルタ装置のボリュームを低減することが望ましい。
【先行技術文献】
【特許文献】
【０００８】
【特許文献１】ＳＥ−Ｃ−２２４  １３１
【特許文献２】ＵＳ  ７，９７２，５０８  Ｂ２
【特許文献３】ＰＣＴ／ＳＥ２００７／０００６０６
【発明の概要】
【発明が解決しようとする課題】
【０００９】
本発明の目的は、改良された回転ディスクフィルタ装置（rotary disc filter device）を提供することにより上記課題を解決することである。
【００１０】
具体的な目的は、製造にかかる手間とコストがより少なくかつコンパクトな設計の回転ディスクフィルタ装置を提供することである。
【００１１】
本発明によれば、これらの目的は本発明の第１の構成における特徴を備えた回転ディスクフィルタ装置と本発明の他の構成における好ましい実施形態とにより達成される。
【課題を解決するための手段】
【００１２】
本発明の回転ディスクフィルタ装置において、フレームは、リベットまたはねじにより互いに接続された金属薄板要素（sheet metal element）からできている。金属薄板要素は、例えばレーザー切断により、そして必要な場合には続いて例えばプレス成型または折りたたみ（folding）等の成形を行うことにより、低コストで製造可能である。金属薄板要素から回転子を製造すれば、射出金型成形装置を用意する必要もなく、高い費用をかけて射出成形用金型を製造する必要もない。更に、提案された金属薄板要素からできている回転子は、比較的重量が軽い。驚くべきことに、リベットによる単純接続でも、優れた機械的安定性を有するフレームが得られることが分かった。金属薄板要素を溶接により接続する必要はない。
【００１３】
本発明において、用語「リベット」は、一般的な意味で理解されるべきである。用語「リベット」は、半／丸頭リベット、高強度構造用鋼リベット、セミチューブラリベット(semi-tubular rivets)、ブラインドリベット(blind rivets)、オスカーリベット(Oscar
rivets)、ドライブリベット、沈頭リベット（flush rivets）、フリクションロックリベット等の、あらゆる種類の適切なリベットを含む。好ましくは、リベットはリベット打ち機(rivet gun)により固定される。
用語「ねじ」もまた、一般的な意味で理解されるべきである。ねじは、小ねじ(machine screw)、タッピンねじ(sheet metal screw)等であってよい。ねじは、いかなる種類の適切な頭を有するものであってもよい。小ねじを使用する場合、金属薄板要素は、対応するねじ溝を備えてもよい。ねじ溝は、ねじ込みインサートのプレスとして実施されてもよい。小ねじを使用した接続箇所は、ポリマー製のねじシール（thread sealing）またはねじロック(thread locker)で固定してもよい。
【００１４】
好ましくは、金属薄板要素はステンレス鋼製である。この場合、リベットまたはねじもまたステンレス鋼製である。そのような場合、防食対策を施す必要がない。ステンレス鋼金属薄板要素でできているディスク状フィルタ部材は、耐久性があり、低コストで維持可能である。
【００１５】
回転ディスクフィルタ装置における実施形態によれば、フレームは、回転軸から外向きに延びる２つの壁を画定し、ディスク状フィルタ部材の壁の少なくとも１つが錐台（frustum）の形状を有する。こうすれば、隣接するディスク状フィルタ部材を、それらの内周を軸方向に離間させた状態でドラムに取付ける必要がもはやなくなる。その結果、回転ディスクフィルタ装置は更にコンパクトに設計できる。更に、ディスク状フィルタ部材が取付けられる比較的重いドラムを設ける必要がもはやなくなる。各ディスク状フィルタ部材の壁の少なくとも１つを錐台の形状に形成する際、隣接するディスク状フィルタ部材を直接接続して回転子を形成できる。これにより、回転子の製造が簡単になる。回転子の重量が軽くなる。その結果、回転子を支持するための支持構造がより低費用で製造できる。
【００１６】
錐台は円錐（cone）または角錐(pyramid)であってもよい。好ましくは、角錐はｎ個の面を有し、ｎは６〜１２の値であり、好ましくは８〜１０である。有利には、壁またはディスク状フィルタ部材はそれぞれ、双錐台(bifrustum)の形状、特に双角錐台(bipyramid)の形状、を有する。回転軸に対して垂直に延びる面に関して対称をなす双錐台の形状を有するディスク状フィルタ部材は、少数の同一の金属薄板要素を使用することで製造できる。それにより、回転ディスクフィルタ装置の製造コストが節約できる。
【００１７】
好ましい実施形態によれば、壁はディスク状フィルタ部材の外周において互いに当接する。すなわち、本実施形態によれば、これらの壁の周方向エッジが、回転軸に対して平行に延びる別の周方向壁によって接続される必要がない。当接する壁は、ディスク状フィルタ要素の外周において鋭角を形成する。これによってもまた、回転ディスクフィルタ装置の構造が単純化される。
【００１８】
第１の金属薄板要素は、壁の内周を形成する輪状(リング形状)の取付板であってもよく、輪状取付板は、回転軸に関して径方向または垂直な方向それぞれに延びる中心部を有する。有利には、輪状取付板は、円形の内側貫通孔と多角形の外周とを有してもよい。好ましくは、提案される輪状取付板は、隣接するディスク状フィルタ部材同士を互いに接続するために使用される。隣接するディスク状フィルタ部材同士は、輪状取付板の内側円形貫通孔を心合わせし、そして隣接する輪状取付板同士をその中心部において例えばねじまたはバウ（bow）を使用して互いに接続することにより、適切に心合わせ（align）できる。
【００１９】
第２の金属薄板要素は、上記取付板に取り付けられて外向き方向に延びるスパイクを形成してもよい。第３の金属薄板要素は、スパイクの外側端を接続する外周方向フレーム要素を形成してもよい。外周方向フレーム要素同士は、互いに接続されてフレームの多角形外周を形成してもよい。したがって、ディスク状フィルタ部材は、好ましくは同一の形状を有する第１、第２、および第３の金属薄板要素によって、簡単にかつ低コストで製造できる。
【００２０】
有利には、ディスク状フィルタ部材の輪状取付板のうちの少なくとも１つが、隣接するディスク状フィルタ部材の更なる輪状取付板に接続されている。両方の輪状取付板が、隣接するディスク状フィルタ部材の更なる輪状取付板に、近接して接続されることも可能である。本実施形態によれば、ディスク状フィルタ部材は、積層式に配置され、各ディスク状フィルタ部材は、隣接するディスク状フィルタ部材に直接接続される。提案された配置においてはディスク状フィルタ部材が取り付けられるドラムを設けることは必要でない。
【００２１】
更なる実施形態では、積層式の配置の結果、径方向断面図において、２つのディスク状フィルタ部材の隣接する壁の間のクリアランスが、回転軸からの径方向距離が増大するにつれて増大する。２つの隣接する壁の間の開口角度βは、１０°〜４０°の範囲、好ましくは１５°〜３５°の範囲、であってもよい。径方向断面図において、好ましくは、クリアランスは、回転軸に対して垂直に延びる面に関して対称をなす。
【００２２】
好ましくは、回転子の軸方向一端において配置された取付板のうちの少なくとも１つが、回転軸に関して同軸に配置されたパイプ部に接続されている。そのようなパイプ部は、支持構造において回転子を回転可能に支持するように機能する。
【００２３】
輪状取付板から複数のスパイクが有利には１６０°〜１８５°の角度αで延びており、その径方向外側端は、外周方向フレーム部材に接続されている。
【００２４】
本発明の実施形態によれば、２つのスパイクと、輪状取付板と、外周方向フレーム部材とにより画定されたフレーム内の開口が、フィルタ要素によりカバーされている。フィルタ要素は、開口に対応する更なる内周を有しかつ濾布を保持するフィルタフレームを備えてもよい。フィルタフレームは、更なる金属薄板要素からできていてもよい。好ましくは、フィルタフレームは２つの更なる金属薄板要素からできている。好ましくは、更なる金属薄板要素同士は溶接により接続される。更なる金属薄板要素同士は、リベットまたはねじにより接続されてもよい。フィルタフレームを、プラスチック材料により、例えば射出成形によって製造することも可能である。
【図面の簡単な説明】
【００２５】
【図１】従来技術による回転ディスクフィルタ装置の主要部を模式的に図示する斜視図である。
【図２】本発明による回転ディスクフィルタ装置の一部破断側面図である。
【図３】図２の断面線Ａ―Ａによる断面図である。
【図４】図２による回転ディスクフィルタ装置の端面図である。
【図５】ディスク状フィルタ部材の斜視図である。
【図６】図５による平面図である。
【図７】図６の断面線Ｂ−Ｂによる断面図である。
【図７ａ】濾布を有する、図５によるディスク状フィルタ部材の斜視図である。
【図８】回転子の斜視図である。
【図９】図８による平面図である。
【図１０】図９の断面線Ｃ−Ｃによる断面図である。
【発明を実施するための形態】
【００２６】
以下に、本発明の好ましい実施形態を例示する添付図面を参照し、本発明を更に詳細に説明する。
【００２７】
本発明による回転ディスクフィルタ装置は、回転軸Ａｘを中心に回転可能な回転子２１を回転可能に支持する、支持構造２０を備える。
【００２８】
支持構造２０はハウジング２２を備える。ハウジング２２は、ハウジング２２の一端側において軸Ａｘの近傍に配置された流入口２３を有する。流入口２３は、ハウジング２２の中心部を通って延びる流入管２３ａに接続されている。流入管２３ａは、その両端がハウジング２２に固定されており、ディスク状フィルタ部材３０の内部に対向して配置された開口２３ｂを有する。ディスク状フィルタ部材の内部は、対向する壁に画定された空間によって形成されている。流出口２４は、ハウジング２２の他端側においてハウジング２２の底部２５の近くに配置されている。ハウジング２２のカバー２６から、フラッシュチューブ２７（ここでは詳細に示さない）が延びている。ハウジング２２の中心を通って排出管２８が延びており、排出管２８は、ハウジング２２の一端側において軸Ａｘの近くに配置された更なる流出口２９へ続いている。
【００２９】
回転子２１は、排出ダクト２８並びに流入管２３ａを取り囲む、複数のディスク状フィルタ部材３０を備える。回転子２１の軸方向端に配置された各ディスク状フィルタ部材３０はパイプ部３１を備え、パイプ部３１はその軸方向に延びている。図３から分かるように、パイプ部３１は、支持構造２０に設けられた駆動輪３２に支持されている。図４から分かるように、ハウジング２２の外側に、駆動輪３２（ここでは図示せず）を駆動するための駆動ユニット３３が設けられている。
【００３０】
図５〜７を参照して、ディスク状フィルタ部材３０の実施形態を以下に詳細に説明する。ディスク状フィルタ部材３０は、２つの対向する壁３４ａおよび３４ｂから形成されている。壁３４ａおよび３４ｂのそれぞれは、角錐台（pyramidal frustum）の形状を有する。壁３４ａおよび３４ｂは外周３５（図７参照）に当接している。したがって、ディスク状フィルタ部材３０は、双角錐台（pyramidal bifrustum）の形状を有する。双角錐台は、６〜１２の対向する角錐面を有してもよい。図示した実施形態では、双角錐台は８つの対向する角錐面を有する。
【００３１】
ディスク状フィルタ部材３０は、両方の対向する壁を画定するフレームを備える。有利には、ディスク状フィルタ部材は、形状の異なる限定された数の金属薄板要素でできている。
【００３２】
第１の金属薄板要素は輪状取付板３７ａ、３７ｂの形をとる。各壁の中央貫通孔３６ａ、３６ｂを形成する輪状取付板３７ａ、３７ｂの中心部３７１ａ、３７１ｂは、取り付けられた状態で回転軸Ａｘに対して垂直に配置された面を有する。中心部３７１ａ、３７１ｂから、１６０°〜１８５°の第１の角度αで外側スパイク接続部３７２ａ、３７２ｂが延びている。
【００３３】
対向する中心部３７１ａ、３７１ｂの間に、軸方向に延びる補強材４０が設けられてもよい。補強材４０は、ねじで固定されてもよい円柱状ロッドからできていてもよい。補強材４０は、対向する中心部３７１ａ、３７１ｂの間で周方向に等間隔で配置されてもよい。互いに対して平行にかつ回転軸Ａｘに対して平行に延びる、例えば６〜１２個の補強材４０が配置されてもよい。
【００３４】
輪状取付板３７ａ、３７ｂは、ディスク状フィルタ要素３０の外周３５に対応する多角形の外周を有する。輪状取付板３７ａ、３７ｂ、特に外側スパイク接続部３７２ａ、３７２ｂ、のそれぞれから、外側方向へスパイク３８ａ、３８ｂが延びている。スパイク３８ａ、３８ｂは、金属薄板からできており、第２の金属薄板要素を形成している。スパイク３８ａ、３８ｂは、輪状取付板３７ａ、３７ｂと、第１の角度α１６０°〜１８５°を形成している。２つの対向するスパイク３８ａ、３８ｂの端部同士は、互いに接続されている。更に、周方向において互いに隣接するスパイク３８ａ、３８ｂの端部同士は、長尺の周方向フレーム部材３９の形をとる第３の金属薄板要素によって接続されている。有利には、周方向フレーム部材３９同士を接続するために、接続板３９１が設けられている。第４の金属薄板要素を有利に形成する接続板３９１を設けることによって、より手間をかけずに単純な幾何学的形状で、周方向フレーム部材３９を製造できる。
【００３５】
第１、第２および第３の金属薄板要素はリベットにより接続され、双錐台の形状を有するフレームを形成している。このフレームによって壁３４ａ、３４ｂが画定されている。
【００３６】
各壁３４ａ、３４ｂは、複数の開口Ｏを備える。各開口Ｏは、２つのスパイク３８と周方向フレーム部材３９とによって、並びに輪状取付板３７ａ、３７ｂの外側スパイク接続部３７２ａ、３７２ｂによって、画定されている。
【００３７】
参照番号４１ａおよび４１ｂはそれぞれ、濾布１３を保持するフィルタフレームを指す（図７ａを参照）。濾布１３は、５〜５０μｍの範囲、特に１０〜３０μｍの範囲、のメッシュを有するステンレス鋼製であってもよい。フィルタフレーム４１ａ、４１ｂは、開Ｏを覆うフィルタ要素を濾布１３と共に形成している。
【００３８】
好ましい実施形態では、輪状取付板３７ａ、３７ｂ、スパイク３８ａ、３８ｂ、および周方向フレーム部材３９は、好ましくはその安定性を高めるために折りたたまれた、金属薄板要素からできている。金属薄板要素は、好ましくはステンレス鋼製である。これらの金属薄板要素は、１ｍｍ〜１０ｍｍの範囲の厚さを有してもよい。金属薄板要素は、好ましくはリベットによって互いに接続されている。図５〜７に示すディスク状フィルタ部材３０は、簡単にかつ低費用で製造可能な少数の同一の金属薄板要素からできていてもよい。金属薄板要素のディスク状フィルタ部材３０を上記提案したように製造することにより、回転子２１の重量を著しく低減できる。
【００３９】
図８〜１０は、本発明による回転子２１の好ましい実施形態を示す。回転子２１は、図５〜７に示すような複数のディスク状フィルタ部材３０．１〜３０．６を備える。ディスク状フィルタ部材３０．１〜３０．６は、その輪状取付板３７ａ、３７ｂの中心部３７１ａ、３７１ｂにおいて、例えばねじおよび例えばナットを使用して、互いに接続されている。図８〜１０から分かるように、２つの隣接するディスク状フィルタ部材３０．１〜３０．６は、そのスパイク３８．１ａ、３８．２aが互いにずれているように、互いに対して取付けられている。第１のディスク状フィルタ部材３０．１および第３のディスク状フィルタ部材３０．３のスパイク３８ａ、３８ｂは、互いに一直線上に配置されている。全てのディスク状フィルタ部材３０．１〜３０．６の中央貫通孔３６ａ、３６ｂは互いに心合わせされており、入口管２３ａ並びに排出管２８を包囲する中央チャネルを形成している。多角形のディスク状フィルタ部材３０．１〜３０．６を提案したようにずらして配置することにより、回転子の滑らかな回転運動が得られる。
【００４０】
本発明による回転ディスクフィルタ装置の機能は以下のとおりである。
【００４１】
浄化対象の水が流入口２３を介して流入管２３ａへ供給される。この水はディスク状フィルタ部材３０．１〜３０．６のそれぞれの内部に対向して設けられた開口２３ｂを通って排出される。水はフィルタフレーム４１ａ、４１ｂ、４１．１ａ、４１．１ｂ、４１．２ａに保持された濾布１３を通る。水に含まれた粒子が濾布１３の内側に付着する。回転子２１が回転すると、濾布１３はフラッシュチューブ２７の間を通り、それによって、濾布１３の内側に付着している粒子が遊離されて排出管２８内へと流される。粒子は更なる排出口２９を介して装置から取り除かれる。濾過された水は排出口２４を介してハウジング２２から排出される。
【００４２】
特に図２および１０から分かるように、ディスク状フィルタ部材３０．１〜３０．６は対向する壁３４ａ、３４ｂを有する。径方向断面図において、２つの隣接するディスク状フィルタ部材の対向する壁の間のクリアランスは、回転軸Ａからの径方向距離が増大するにつれて増大する。２つの隣接する壁の間の第２の角度βは、１０°〜４０°の範囲、好ましくは１５°〜３５°の範囲、であってもよい。
【００４３】
回転子２１の提案されたデザインはコンパクトである。これにより、回転ディスクフィルタ装置の全体的にコンパクトなデザインが可能となる。  
【符号の説明】
【００４４】
１    回転ディスクフィルタ
１１    ドラム
１２    ディスク状フィルタ部材
１３    濾布
１４    スプレーノズル
１５    フラッシュチューブ
１６    液体導管
１７    排出管
２０    支持構造
２１    回転子
２２    ハウジング
２３    流入口
２３ａ    流入管
２３ｂ    開口
２４    排出口
２５    底部
２６    カバー
２７    フラッシュチューブ
２８    排出管
２９    更なる排出口
３０、３０．１〜３０．６    ディスク状フィルタ部材
３１    パイプ部
３２    駆動輪
３３    駆動ユニット
３４ａ、３４ｂ    壁
３５    外周
３６ａ、３６ｂ    中央貫通孔
３７ａ、３７ｂ    輪状取付板
３７１ａ、３７１ｂ、３７１．１ａ、３７１．１ｂ    中心部
３７２ａ、３７２ｂ、３７２．１ａ、３７２．１ｂ    外側スパイク接続部
３８ａ、３８ｂ    スパイク
３９    周方向フレーム部材
３９１、３９１．１、３９１．２    接続板
４０    補強材
４１ａ、４１ｂ、４１．１ａ、４１．１ｂ、４１．２ａ    フィルタフレーム
Ａ    液体
Ａｘ    回転軸
α    第１の角度
β    第２の角度
Ｏ    開口
【図１】
0006541136.tif 000002
【図２】
0006541136.tif 000003
【図３】
0006541136.tif 000004
【図４】
0006541136.tif 000005
【図５】
0006541136.tif 000006
【図６】
0006541136.tif 000007
【図７】
0006541136.tif 000008
【図７ａ】
0006541136.tif 000009
【図８】
0006541136.tif 000010
【図９】
0006541136.tif 000011
【図１０】
0006541136.tif 000012